(57)【特許請求の範囲】
【請求項１】
ヘッドドラム組立体が設けられるメインシャーシと、テープカセットのロード時に前記ヘッドドラム組立体に向かって前記メインシャーシ上をスライド移動するように設けられたサブシャーシと、を備えるテープレコーダのムービングデッキプレートであって、
前記メインシャーシには、前記ヘッドドラム組立体の取付けられるドラムベースが、プレス加工により前記メインシャーシの一部が切開折り曲げられて一側に傾斜して突出するように一体形成され、前記ドラムベースの両側には、前記サブシャーシに設けられた一対の移動ガイドレールがそれぞれドッキングし、前記テープカセットから磁気テープを引出しする一対のポールベースが移動する移動経路を形成する一対の固定ガイドレールが、プレス加工により前記メインシャーシの一部が切開折り曲げられて突出するように一体形成され、
前記一対の固定ガイドレールの一方のガイドレールの自由端と前記ドラムベースの切開折り曲げられた先端とは、ブリッジ状第１補強リブによって連結された状態で形成されることを特徴とするテープレコーダのムービングデッキプレート。
【請求項２】
前記一対の固定ガイドレールの他方のガイドレールの自由端は、ブリッジ状第２補強リブによって前記メインシャーシに連結されるように形成されることを特徴とする請求項１に記載のテープレコーダのムービングデッキプレート。
【請求項３】
前記第１補強リブと前記第２補強リブは、少なくとも二つ以上の複数個形成されることを特徴とする請求項１に記載のテープレコーダのムービングデッキプレート。
【請求項４】
前記ドラムベースは、前記ヘッドドラムとの結合のための相補的位置決め結合手段を有し、前記相補的位置決め結合手段は、前記ヘッドドラムの底部に形成された一つ以上の位置決め孔及び複数の第１結合孔と、前記位置決め孔に挿入されるように前記ドラムベースに備えられた位置決めピン、及び前記第１結合孔と対応して締結部材が貫通するように前記ドラムベースに形成される複数の第２結合孔と、を備えることを特徴とする請求項１に記載のテープレコーダのムービングデッキプレート。
【請求項５】
前記相補的位置決め結合手段は、前記ヘッドドラム組立体の下方へ突出された回転軸と、前記回転軸が挿入されるように前記ドラムベースに形成された軸溝と、を更に備えることを特徴とする請求項４に記載のテープレコーダのムービングデッキプレート。
【請求項６】
前記位置決めピンは、前記ドラムベース面に対して起立状態で一体成形されることを特徴とする請求項４に記載のテープレコーダのムービングデッキプレート。
【発明の詳細な説明】
【０００１】
【発明の属する技術分野】
本発明はテープレコーダのヘッドドラムが取付けられるデッキプレート構造に関し、特にメインシャーシについてスライド移動するサブシャーシを備えたテープレコーダのムービングデッキプレートの構造に関する。
【０００２】
【従来の技術】
通常、カムコーダと呼ばれるカメラ一体型ビデオテープレコーダやＶＣＲのようなビデオテープレコーダは、走行する磁気テープに対する磁気ヘッドのスキャニングによって情報を記録/再生するために、図１に示したように、デッキ１０のメインシャーシ上に高速で回転するヘッドドラム組立体２０が設けられる。
【０００３】
図１は従来の通常のテープレコーダのムービングデッキの腰部を示した図であって、ヘッドドラム組立体２０はドラムベース３０に安着状態でメインシャーシ１１に対して傾斜して設けられる。このような設置構造にすることにより螺旋走査方式によって磁気テープの安定した走行ができる。
【０００４】
ドラムベース３０は、リング状のベース部材３１と、その両側にそれぞれ一体に備えられた一対の固定ガイドレール３３ａ、３３ｂとを含む。ドラムベース３０は、例えばダイキャスティングなどによりメインシャーシ１１及びヘッドドラム組立体２０とは別の部品として作製される。
【０００５】
固定ガイドレール３３ａ、３３ｂは、一対の移動ガイドレール１２ａ、１２ｂと協力し、一対のポールベース１３ａ、１３ｂが移動する移動経路を形成する。移動ガイドレール１２ａ、１２ｂは、サブシャーシ１２の前端部に設けられ、テープカセット(図示せず)のロード時にサブシャーシ１２がヘッドドラム組立体２０に向かってスライド移動する際、固定ガイドレール３３ａ、３３ｂとドッキングする。この際、一対のポールベース１３ａ、１３ｂは、テープカセットから磁気テープ(図示せず)を引き出し、移動ガイドレール１２ａ、１２ｂと固定ガイドレール３３ａ、３３ｂに沿って移動し、ヘッドドラム組立体２０の外周面に磁気テープを半回転ほど巻かれた状態で密着させる。
【０００６】
一方、前述したようなカムコーダなどのテープレコーダは、その製造現場における実際機能の精度向上は勿論のこと、特に部品数を減らしてコストを低減することと同時に、自動化及び組立性向上を通じて生産性を高めることだけが事業の持続可否に繋がる鍵と見られ、多くの力を注いでいる傾向である。
【０００７】
従って、このような傾向に照らしてみると、前述したような従来のテープレコーダのヘッドドラム装着デッキプレートの構造は、実際の製造現場で次のような問題を引き起こしている。
【０００８】
第１に、ドラムベース３０がダイキャスティングのような精密製造過程を経て別の組立部品として作製されるということと、その部品の組合わせのためのスクリュー、支持片などの締結部品が必要とされるので、部品数と製造工程が増えてコストアップの要因になる。
【０００９】
第２に、ヘッドドラム組立体２０が先にドラムベース３０に組立てられる、いわばサブアセンブリ状態でメインシャーシ１１に取付けられるため、製造過程における部品供給ハンドリング工程が増えることによって製造リードタイムが延びて生産性が低下する。
【００１０】
第３に、メインシャーシ１１とヘッドドラム組立体２０及びドラムベース３０がそれぞれ別の部品として作製、ハンドリング、組立られることにより、体系的且つスムーズな品質管理と自動化などが難しく、製品機能の精度向上の阻害要因となる。
【００１１】
【発明が解決しようとする課題】
本発明は、前述したような従来のテープレコーダ、特にカムコーダのムービングデッキにヘッドドラムが取付けられるデッキプレート構造が持つ問題を解決するために案出されたものであり、更に、本発明の目的は、ヘッドドラム装着構造を改善による組立部品の低減を通して組立性を改善し、且つ自動化実現可能性を高めることによって製造コストを低減すると同時に、生産性向上と駆動精度の向上による品質向上を図ることができるテープレコーダのムービングデッキプレートを提供することにある。
【００１２】
【課題を解決するための手段】
前述した目的を達成するために本発明に係るテープレコーダのムービングデッキプレートは、ヘッドドラム組立体が設けられるメインシャーシと、テープカセットのロード時に前記ヘッドドラム組立体に向かって前記メインシャーシ上をスライド移動するように設けられたサブシャーシと、を備えるテープレコーダのムービングデッキプレートであって、前記メインシャーシには、前記ヘッドドラム組立体の取付けられるドラムベースが、プレス加工により前記メインシャーシの一部が切開折り曲げられて一側に傾斜して突出するように一体形成され、前記ドラムベースの両側には、前記サブシャーシに設けられた一対の移動ガイドレールがそれぞれドッキングし、前記テープカセットから磁気テープを引出しする一対のポールベースが移動する移動経路を形成する一対の固定ガイドレールが、プレス加工により前記メインシャーシの一部が切開折り曲げられて突出するように一体形成され、前記一対の固定ガイドレールの一方のガイドレールの自由端と前記ドラムベースの切開折り曲げられた先端とは、ブリッジ状第１補強リブによって連結された状態で形成されることを特徴とする。
【００１３】
又、前記一対の固定ガイドレールの他方のガイドレールの自由端は、ブリッジ状第２補強リブによって前記メインシャーシに連結されるように形成されることが望ましく、前記第１補強リブと前記第２補強リブは、少なくとも二つ以上の複数個形成されることが望ましい。
【００１４】
又、前記ドラムベースは、前記ヘッドドラムとの結合のための相補的位置決め結合手段を有し、前記相補的位置決め結合手段は、前記ヘッドドラムの底部に形成された一つ以上の位置決め孔及び複数の第１結合孔と、前記位置決め孔に挿入されるように前記ドラムベースに備えられた位置決めピン、及び前記第１結合孔と対応して締結部材が貫通するように前記ドラムベースに形成される複数の第２結合孔と、を備える。又、前記位置決めピンは、前記ドラムベース面に対して起立状態で一体成形されることが望ましい。
【００１５】
【発明の実施の形態】
以下では、添付した図面に基づいて本発明の実施の形態を詳述する。
【００１６】
図３乃至図６に示したように、本発明によるテープレコーダのムービングデッキプレートでは、メインシャーシ１１０に対し、ヘッドドラム組立体２０の取付けられるドラムベース１３０が傾斜して突出するように一体形成される。そして、ドラムベース１３０の両側には、一対の固定ガイドレール１４１、１４２が突出するようにメインシャーシ１１０に一体形成される。また、一対の固定ガイドレール１４１、１４２のうちいずれか一側の固定ガイドレール１４２は、ブリッジ状第１補強リブ１４２ａによってドラムベース１３０に連結された状態で支持されるように形成される。
【００１７】
本発明の他の側面によると、他側の固定ガイドレール１４１は、図５に示したように、ブリッジ状第１補強リブ１４１aによってメインシャーシ１１０に連結された状態で支持されるように形成される。
【００１８】
本発明によると、ドラムベース１３０と一対の固定ガイドレール１４１、１４２とは、例えばプレス加工などによりメインシャーシ１１０の一部が切開折り曲げられ、起立状態で一体成形される。図４及び図５に示したように、ドラムベース１３０と一対の固定ガイドレール１４１、１４２の下方の周りには、それぞれ成形加工時の穿孔による通孔Ｓが形成されている。
【００１９】
図３において、一対の固定ガイドレール１４１、１４２はサブシャーシ１２０の前端部に備えられた一対の移動ガイドレール１２１、１２２と協力し、一対のポールベース１２５、１２６が移動する移動経路をなす。すなわち、テープカセット(図示せず)のロード時にサブシャーシ１２０がヘッドドラム組立体２０に向かってメインシャーシ１１０上をスライド移動する。これにより、サブシャーシ１２０の前端部に備えられた一対の移動ガイドレール１２１、１２２が一対の固定ガイドレール１４１、１４２とそれぞれドッキングする。この際、一対のポールベース１２５、１２６は、テープカセットから磁気テープ(図示せず)を引き出して、ヘッドドラム組立体２０の外周面に半回転ほど巻かれた状態で密着させる。
【００２０】
一方、ドラムベース１３０には、ヘッドドラム組立体２０の結合の位置決めのための位置決めピン１３１が備えられる。位置決めピン１３１はヘッドドラム組立体２０の底部に形成された位置決め孔２１と相補的に働き、ヘッドドラム組立体２０がドラムベース１３０に安着される位置を決定づける。
【００２１】
本発明によると、ヘッドドラム組立体２０の結合位置を決定づけるための他の手段として、ドラムベース１３０の中央部に軸溝１３２が形成され、その軸溝１３２にヘッドドラム組立体２０の底部へ突出された回転軸２２が挿入される。
【００２２】
また、ドラムベース１３０には、ヘッドドラム組立体２０の底面に形成された複数の締結孔２３ａ、２３ｂ、２３ｃを持ってスクリューを締結できるように複数の結合孔１３３ａ、１３３ｂ、１３３ｃが形成される。
【００２３】
締結孔２３ａ、２３ｂ、２３ｃと結合孔１３３ａ、１３３ｂ、１３３ｃとは、ドラムベース１３０と一対の固定ガイドレール１４１、１４２を形成するためのプレス加工プロセス中で形成することもできる。
【００２４】
前述したような構成を有する本発明に係るテープレコーダのムービングデッキプレートにおいては、メインシャーシ１１０のプレス成形加工過程にてドラムベース１３０が一体成形されることによって、既存のように別のユニット部品で作製されるドラムベースとヘッドドラム組立体の組立過程を省略することができる。
【００２５】
また、固定ガイドレール１４１、１４２がメインシャーシ１１０のプレス成形加工過程にて一体成形され、固定ガイドレール１４１、１４２の自由端は、それぞれブリッジ状第１及び第２補強リブ１４１ａ、１４２ａによって、ドラムベース１３０とメインシャーシ１１０に連結された状態で支持される。このような構成により、サブシャーシ１２０が移動して、移動ガイドレール１２１、１２２が固定ガイドレール１４１、１４２とドッキングする際、流動を防止して精密なドッキングを可能にする。従って、ポールベース１２５、１２６の安定したスライドを誘導できる機構的な駆動精度を高めることができる。
【００２６】
前述したように、メインシャーシ１１０にドラムベース１３０と固定ガイドレール１４１、１４２とが一体成形され、固定ガイドレール１４１、１４２はブリッジ状補強リブ１４１ａ、１４２ａによってそれぞれメインシャーシ１１０とドラムベース１３０に連結された状態で支持される構成において、ヘッドドラム組立体２０の結合過程を説明すれば次の通りである。
【００２７】
まず、ヘッドドラム組立体２０の底部に突出された回転軸２２をドラムベース１３０の軸溝１３２に挿入すると同時に、適切に回転させながら位置決めピン１３１を位置決め孔２１に挿入して安着されるようにすることで結合位置を決定づける。この際、締結孔２３ａ、２３ｂ、２３ｃと結合孔１３３ａ、１３３ｂ、１３３ｃとは対応する状態で整列されることによって、スクリューを締結してヘッドドラム組立体２０の装着が完了する。締結孔２３ａ、２３ｂ、２３ｃと結合孔１３３ａ、１３３ｂ、１３３ｃとは、加工するときに相互間の相対位置を予め決めて置くことによって、位置決めピン１３１と位置決め孔２１の作用によって互いに対応する状態で整列させうる。
【００２８】
従って、本発明に係るテープレコーダのムービングデッキプレートでは、ヘッドドラム組立体２０をメインシャーシ１１０に一体成形されたドラムベース１３０上に直接取付けできる。
【００２９】
【発明の効果】
上述したように、本発明に係るテープレコーダのムービングデッキプレート及びヘッドドラム装着構造では次のような効果を得ることができる。
【００３０】
第１に、ドラムベースが別の部品として作製されずメインシャーシと一体成形作製されるため、ダイキャスティングのような別の部品としての製造過程を省略することができ、更に部品結合のためのスクリューなどの締結部品が必要とされないため、部品数と製造工程を削減できるだけでなく製造コストを低減できる。
【００３１】
第２に、既存のようにドラムベースとヘッドドラム組立体をサブアセンブリ状態で組立てする過程を省略できるので、部品供給ハンドリング工程を減らし、製造リードタイムを縮めると共に品質管理が容易になる効果が得られる。
【００３２】
第３に、ヘッドドラム組立体をメインシャーシのドラムベースに直接装着できることにより、組立過程が単純且つ容易になるので自動化の実現が可能になる。
【００３３】
第４に、ポールベースの移動経路を形成する固定ガイドレールをプレス成形加工する工程にてメインシャーシに一体形成すると同時に、それぞれの自由端をブリッジ状補強リブによってドラムベースと前記メインシャーシに連結された状態で支持するよう形成することにより、サブシャーシの移動時の流動を防止して移動ガイドレールとの高精度のドッキングを可能にし、ポールベースの安定したスライド運動を提供して機構的な駆動精度を高め、性能向上の効果が得られるように改善されたテープレコーダのムービングデッキプレート及びヘッドドラム装着構造を提供することができる。
【図面の簡単な説明】
【図１】従来のテープレコーダのムービングデッキプレートを説明するための概略的な分離斜視図である。
【図２】図１の要部を抜粋して示した概略的な断面図である。
【図３】本発明に係るテープレコーダのムービングデッキプレートを説明するための概略的な斜視図である。
【図４】本発明の他の実施例によるテープレコーダのムービングデッキプレートを説明するための概略的な要部斜視図である。
【図５】本発明の他の実施例によるテープレコーダのムービングデッキプレートを説明するための概略的な要部斜視図である。
【図６】図３の要部を抜粋して示した概略的な断面図である。
【図１】
0003961426.tif 000002
【図２】
0003961426.tif 000003
【図３】
0003961426.tif 000004
【図４】
0003961426.tif 000005
【図５】
0003961426.tif 000006
【図６】
0003961426.tif 000007